(57)【特許請求の範囲】
【請求項１】
予め設定された形式のマルチメディアデータが入力されると、該マルチメディアデータをデコードして再生する移動端末のアクセサリーインタフェースを介して前記移動端末と接続されるアクセサリー装置において、
デジタルマルチメディア放送データを受信し、前記アクセサリーインタフェースのデータ伝送端子のうち、データ伝送のために用いられていない端子に特定の電圧を印加して「ハイ」の論理状態とすることにより、前記移動端末が前記アクセサリー装置をホスト装置として認識するようにし、前記デジタルマルチメディア放送データを前記移動端末で再生可能なデータ形式に変換して前記移動端末に出力することにより、前記移動端末における前記デジタルマルチメディア放送データの再生を可能にすることを特徴とするデジタルマルチメディア放送アクセサリー装置。
【請求項２】
前記デジタルマルチメディア放送アクセサリー装置は、
複数の端子を備え、前記移動端末のアクセサリーインタフェースと整合可能なインタフェースと、
前記デジタルマルチメディア放送データを受信するデジタルマルチメディア放送信号受信部と、
前記デジタルマルチメディア放送データから、マルチメディアデータとチャンネル構成情報とを振り分けるデジタルマルチメディア放送信号解析部と、
前記マルチメディアデータを特定のビデオデータ及びオーディオデータのデータ形式に変換するための変換情報を記憶しているデジタルマルチメディア放送パッケージメモリー部と、
前記変換情報を用いて前記マルチメディアデータを前記移動端末で再生可能なデータ形式に変換するデジタルマルチメディア放送データ変換部と、
前記移動端末からキー入力信号を入力され、前記チャンネル構成情報を用いて前記キー入力信号に対応するチャンネルのデジタルマルチメディア放送データを受信するように前記デジタルマルチメディア放送信号受信部を設定するチャンネル設定部と、
前記インタフェースのデータ伝送用端子のうち、前記移動端末とのデータ伝送のために用いられていない端子に特定の電圧を印加して、前記インタフェースのデータ伝送用端子と整合される前記アクセサリーインタフェースのデータ伝送端子の論理的な状態を「ハイ」の状態にし、前記デジタルマルチメディア放送データ変換部を制御して前記移動端末で再生可能な形式に前記デジタルマルチメディア放送データを変換して前記移動端末に出力するデジタルマルチメディア放送アクセサリー制御部と、を備えることを特徴とする請求項１に記載の前記装置。
【請求項３】
前記インタフェースのデータ伝送用端子は、
前記移動端末の前記アクセサリーインタフェース端子のうちＤ＋端子とＤ−端子と整合される前記デジタルマルチメディア放送アクセサリー装置のインタフェース端子であることを特徴とする請求項２に記載の前記装置。
【請求項４】
前記インタフェースは、１０個の端子を備えていることを特徴とする請求項２に記載の前記装置。
【請求項５】
前記デジタルマルチメディア放送信号受信部は、
ギャップフィラーの未設置地域における前記デジタルマルチメディア放送データの受信率を高めるために使用する外付け型のデジタルマルチメディア放送アンテナを有することを特徴とする請求項２に記載の前記装置。
【請求項６】
前記移動端末は、
前記アクセサリー装置を有する通常のアクセサリー装置と接続可能なアクセサリーインタフェースと、
前記アクセサリーインタフェースと前記デジタルマルチメディア放送アクセサリー装置とのインタフェーシングを制御するインタフェース制御部と、
複数のキーを備えるキー入力部と、
画像情報を出力するための表示部と、
可聴信号を出力するための可聴音出力部と、
前記アクセサリーインタフェースのデータ伝送端子の論理的な状態をチェックして、前記データ伝送端子の論理的な状態がいずれも「ハイ」の状態であると、前記アクセサリーインタフェースを介して接続された装置をホスト装置であると認識する端末制御部と、を備えることを特徴とする請求項１に記載の前記装置。
【請求項７】
前記移動端末は、
前記アクセサリーインタフェースを介して接続されている装置とデータをやり取りするとき、前記アクセサリーインタフェースのデータ伝送端子のうち何れか１つの端子のみを前記データのやり取りに使用することを特徴とする請求項６に記載の前記装置。
【請求項８】
前記アクセサリーインタフェース及び前記デジタルマルチメディア放送アクセサリー装置のインタフェースは、互いに整合される少なくとも１０個の端子を備えることを特徴とする請求項７に記載の前記装置。
【請求項９】
移動端末のアクセサリーインタフェースを介して前記移動端末と接続されるデジタルマルチメディア放送アクセサリー装置を用いてデジタルマルチメディア放送データを受信し、該受信したデジタルマルチメディア放送データを前記移動端末で再生する方法において、
前記デジタルマルチメディア放送アクセサリー装置が、前記移動端末のアクセサリーインタフェース端子と整合される前記デジタルマルチメディア放送アクセサリー装置のインタフェース端子のうち、前記移動端末とのデータのやり取りに用いられていない何れか１つのデータ伝送用端子に特定の電圧を印加して「ハイ」の論理状態とすることにより、前記移動端末が前記アクセサリー装置をホスト装置として認識するようにする電圧印加ステップと、
前記デジタルマルチメディア放送アクセサリー装置が、前記移動端末で再生可能なマルチメディアデータ形式に応じて前記デジタルマルチメディア放送データを変換する変換ステップと、
前記デジタルマルチメディア放送アクセサリー装置が、前記変換されたデジタルマルチメディア放送データを前記移動端末に出力し、前記変換されたデジタルマルチメディア放送データを再生するように前記移動端末を制御する再生制御ステップと、を含むことを特徴とする前記方法。
【請求項１０】
移動端末のアクセサリーインタフェースを介して前記移動端末と接続されるデジタルマルチメディア放送アクセサリー装置を用いてデジタルマルチメディア放送データを受信し、該受信したデジタルマルチメディア放送データを前記移動端末で再生する方法において、
前記移動端末が、当該移動端末のアクセサリーインタフェースのデータ伝送端子のうち、前記デジタルマルチメディア放送アクセサリー装置とのデータ伝送のために用いられていない端子の論理的な状態をチェックする論理状態のチェックステップと、
前記移動端末が、前記論理状態が「ハイ」の論理状態である場合に、前記デジタルマルチメディア放送アクセサリー装置をホスト装置であると認識する認識ステップと、
前記移動端末が、前記デジタルマルチメディア放送アクセサリー装置から入力されるマルチメディアデータを再生する再生ステップと、を含むことを特徴とする前記方法。
【発明の詳細な説明】
【技術分野】
【０００１】
本発明は移動端末のアクセサリー装置に係り、特に、デジタルマルチメディア放送を受信可能なアクセサリー装置に関する。
【背景技術】
【０００２】
通常、デジタルマルチメディア放送（Digital Multimedia Broadcasting、以下、ＤＭＢ）とは、従来のアナログ放送に代えて高画質と高音質、また、一層ハイレベルのサービスをユーザーに提供する放送サービスのことである。さらに、近年、デジタル放送技術及び移動通信技術の発達に伴い、移動中であってもデジタル放送を視聴可能にするためのデジタル放送サービスへの関心が高まりつつある。これにより、現在のところ、移動端末に無指向性のＤＭＢ受信アンテナを取り付け、上記移動端末で上記ＤＭＢを受信可能にしている。以下、上記のようにＤＭＢデータを受信及び再生可能な移動端末をＤＭＢ受信端末と称する。
【０００３】
このため、通常の移動端末がＤＭＢデータを受信するためには、ＤＭＢデータを受信可能なＤＭＢ受信部と、上記ＤＭＢデータをデコードして再生するＤＭＢモジュールを備えている必要がある。しかしながら、通常の移動端末は、これらの構成要素を有していないため、ユーザーは、通常の移動端末では上記ＤＭＢを視聴することができないといった問題点がある。
【０００４】
また、今市販されている移動端末は、アクセサリーインタフェースを備える。ここで、移動端末とは、携帯電話やＰＤＡなどの機器のことである。また、上記アクセサリーとは、イヤーマイクやイヤーホンジャックのように移動端末に接続して使用可能な周辺装置のことである。また、上記アクセサリーインタフェースとは、上記アクセサリーを上記移動端末に接続することが可能な、移動端末のインタフェースのことである。このため、ユーザーは、このアクセサリーインタフェースを介して様々なアクセサリー装置と移動端末とを接続させ、上記移動端末を各種の用途に使用することができる。
【０００５】
なお、ここでは、上記ＤＭＢデータを受信可能なＤＭＢ受信部と、上記ＤＭＢデータをデコードして再生するＤＭＢモジュールを備えたアクセサリー装置を上記移動端末のアクセサリーインタフェースに接続することを想定し得る。しかしながら、この場合、ＤＭＢ受信部とＤＭＢモジュールを備えた上記アクセサリー装置がＤＭＢデータを受信し、該受信したデータを再生するためには、上記ＤＭＢデータの受信、及び該受信したＤＭＢデータの上記移動端末における再生ができるように当該移動端末を制御できる必要がある。このため、上記ＤＭＢ受信部とＤＭＢモジュールを備えたアクセサリー装置は、上記移動端末のホスト機器として動作可能な機能を有している必要があり、さらに、上記移動端末は、上記アクセサリー装置をホストとして認識できなければならない。
【０００６】
しかしながら、通常のアクセサリーの場合、イヤージャックやイヤーマイクホンのように、単に移動端末から出力されるオーディオ信号を入力されるか、あるいは、上記マイクから入力される音声信号を移動端末に入力するために用いるだけである。また、外付け型ＤＭＢアンテナなどのアクセサリー装置の場合、ＤＭＢ受信端末の制御によってＤＭＢデータを受信し、これを上記ＤＭＢ受信端末に入力する受動的な機能のみを有している。
【０００７】
また、通常の移動端末のアクセサリーインタフェースは、単にデータの入出力信号及び電源の入力または接地の役割を果たす端子のみを有するだけであって、２４ピンインタフェースのＶバス端子のように、接続された周辺装置から電圧を印加されて上記周辺装置をホストまたはスレーブとして認識するための端子は有していない。
【０００８】
このため、通常の移動端末のアクセサリーインタフェースは、接続される周辺機器をホストとして認識することができない。これは、上記通常の移動端末において用いられる周辺装置をホストとして認識する方法が、パソコンのようにホスト機能を有する周辺装置が移動端末に接続された場合、上記周辺装置は、移動端末のＶバス端子に電圧を印加し、上記移動端末は、上記Ｖバス端子から入力された電圧を用いて周辺装置をホストとして認識するためである。
【０００９】
これは、上記移動端末が、上記周辺装置とのデータのやり取りに用いられるデータ端子の論理的な状態によって上記周辺装置をホストとして認識するためである。ここで、上記移動端末が、上記周辺装置と、Ｖバス端子付き２４ピンインタフェースを介して接続された場合、上記Ｖバス端子から入力される電圧を上記周辺装置とのデータのやり取りに用いられていない何れか１つのデータ端子に印加する。また、上記データ端子がいずれも論理的な「ハイ」の状態にある場合、上記移動端末は、上記接続された周辺装置をホストとして認識する。
【００１０】
このため、現在、上記Ｖバス端子を備えていない通常の移動端末のアクセサリーインタフェースでは、該アクセサリーインタフェースを介して接続される装置をホストとして認識することができないという問題点がある。
【発明の開示】
【発明が解決しようとする課題】
【００１１】
そこで、本発明の目的は、ＤＭＢデータを受信及びデコード可能なアクセサリー装置（以下、ＤＭＢアクセサリー装置と称する。）及び上記ＤＭＢアクセサリー装置を用いてＤＭＢデータを再生する方法を提供するところにある。
【課題を解決するための手段】
【００１２】
上記目的を達成するために、本発明によれば、予め設定された形式のマルチメディアデータが入力されると、上記マルチメディアデータをデコードして再生する移動端末のアクセサリーインタフェースを介して上記移動端末と接続されるアクセサリー装置は、ＤＭＢデータを受信し、上記アクセサリーインタフェースのデータ伝送端子のうち何れか１つにプルアップ抵抗を介して特定の電圧を印加し、上記ＤＭＢデータを上記移動端末で再生可能なデータ形式に変換して出力することにより、上記移動端末における上記ＤＭＢデータの再生を可能にすることを特徴とする。
【００１３】
また、上記目的を達成するために、本発明によれば、ＤＭＢアクセサリー装置がＤＭＢデータを受信し、これを移動端末で再生する方法は、上記ＤＭＢアクセサリー装置が、上記移動端末のアクセサリーインタフェース端子と整合される上記ＤＭＢアクセサリー装置のインタフェース端子のうち、上記移動端末とのデータのやり取りに用いられていない何れか１つの端子にプルアップ抵抗を介して特定の電圧を印加する電圧印加ステップと、上記ＤＭＢアクセサリー装置が、上記移動端末で再生可能なマルチメディアデータ形式に応じて上記ＤＭＢデータを変換する変換ステップと、上記ＤＭＢアクセサリー装置が、上記変換されたＤＭＢデータを上記移動端末に出力し、上記変換されたＤＭＢデータを再生するように上記移動端末を制御する再生制御ステップと、を含むことを特徴とする。
【００１４】
さらに、上記目的を達成するために、本発明によれば、ＤＭＢアクセサリー装置により移動端末でＤＭＢデータを再生する方法は、上記移動端末が、当該移動端末のアクセサリーインタフェース端子のうちデータ伝送端子の論理的な状態をチェックする論理状態のチェックステップと、上記移動端末が、上記論理状態のチェック結果に基づき、上記ＤＭＢアクセサリー装置をホスト装置であると認識する認識ステップと、上記移動端末が、上記ＤＭＢアクセサリー装置から入力されるマルチメディアデータを再生する再生ステップと、を含むことを特徴とする。
【発明の効果】
【００１５】
本発明によれば、ＤＭＢデータを受信及び再生可能な機能を有しない移動端末であっても、上記ＤＭＢデータを再生可能にする。したがって、通常の移動端末を使用するユーザーであっても、本発明による装置及び方法を用いてＤＭＢを視聴することができる。
【発明を実施するための最良の形態】
【００１６】
以下、添付した図面に基づき、本発明に係る好適な実施の形態を詳細に説明する。本発明を説明するに当たって、関連する公知の機能あるいは構成についての詳細な説明が本発明の要旨を余計に曖昧にすると認められる場合、その詳細な説明を省く。
【００１７】
先ず、本発明の明確な理解のために、本発明の基本原理を説明すると、本発明においては、ＤＭＢデータを受信し、これを上記移動端末で再生可能なデータ形式に変換して当該移動端末に入力するＤＭＢアクセサリー装置が、プルアップ抵抗を介して、特定の電圧を現在データを伝送していないデータ端子に印加する。また、これにより、上記移動端末に対して上記データ端子の論理的な状態を「ハイ」に認識させて、上記移動端末をして上記ＤＭＢアクセサリー装置をホストとして認識可能にする。また、上記ＤＭＢアクセサリー装置が変換した上記ＤＭＢデータを上記移動端末で再生可能にする。
【００１８】
図１は、本発明の実施の形態によるＤＭＢアクセサリー装置の例を示し、図１Ａは、本発明の実施の形態によるＤＭＢアクセサリー装置１００の例を、また、図１Ｂは、上記ＤＭＢアクセサリー装置１００が移動端末１０２と整合された例を示している。
【００１９】
先ず、図１Ａを参照すると、本発明の実施の形態によるＤＭＢアクセサリー装置１００は、ＤＭＢアクセサリーインタフェース１０４を備える。また、上記ＤＭＢアクセサリーインタフェース１０４を上記移動端末のアクセサリーインタフェース１０６と整合させて、上記図１Ｂに示すように、上記ＤＭＢアクセサリー装置１００を移動端末１０２に接続することができる。
【００２０】
上記図１においては、移動端末１０２の例として携帯電話を挙げているが、上記移動端末１０２はこれに限定されるものではない。ここで、上記移動端末１０２とは、図１に示すように、携帯電話だけではなく、ＰＤＡ、デジタルカムコーダーのように動画像が再生可能な機器をいずれも含むものである。また、このように、動画像が再生可能な移動端末は、少なくとも１つ以上の再生可能なビデオデータ形式とオーディオデータ形式を有する。また、この種の移動端末は、ＵＳＢ（Universal Serial Bus）方式を使用するか、あるいは、ＵＡＲＴ（Universe Asynchronous Receiver/transmitter）方式を使用するかによって、上記移動端末１０２と接続されている機器間のインタフェーシングを制御するＵＳＢコントローラーまたはＵＡＲＴコントローラーを備える。以下、移動端末１０２において、上記ＵＳＢコントローラーとＵＡＲＴコントローラーのようにインタフェーシングを制御する構成要素をインタフェース制御部と称する。また、通常、上記アクセサリーインタフェース１０６は、上記インタフェース制御部に接続される。また、上記インタフェース制御部は、上記移動端末１０２の制御によって、上記アクセサリーインタフェース１０６を介して、整合された機器への／からのデータ入出力を行う。また、上記アクセサリーインタフェース１０６には、マイク信号やオーディオ信号などの各種のデータのやり取り及びリモートキーの入力やテレビ信号の出力のためのインタフェース端子が設けられる。
【００２１】
図２は、このＤＭＢアクセサリー装置のインタフェース端子と整合される移動端末のアクセサリーインタフェース１０６の端子の例を示している。
【００２２】
上記図２を参照すると、上記ＤＭＢアクセサリー装置１００のインタフェース１０４（以下、ＤＭＢアクセサリーインタフェースと称する。）と、移動端末１０２のアクセサリーインタフェース１０６は、互いに整合される１０個の端子を備える。これは、通常、上記端末アクセサリーインタフェースの端子数が１０個であるためであり、これに伴い、説明の都合上、１０個の端子を有する場合を例として挙げている。
【００２３】
通常、端末アクセサリーインタフェースの場合、上記１０個の端子ごとにやり取りされる信号及び機能が設定されている。ここで、上記１０個の端子の機能を下記表１に示す。
【００２４】
【表１】
0004476983.tif 000002
【００２５】
ここで、上記Ｐ１は接地端子であり、Ｐ２はマイク信号の入力端子として用いられる。また、Ｐ３は、デュアルオーディオ方式のマイク信号の入力端子または接地端子として機能する。さらに、Ｐ４とＰ５は、Ｒ＿ＣＨのオーディオ信号の出力端子及びＬ＿ＣＨのオーディオ信号の出力端子として用いられる。さらに、Ｐ８は、上記端末アクセサリーインタフェース１０６に特定のアクセサリー装置が接続された場合、これを検知して上記移動端末１０２に知らせる機能を備える。さらに、上記Ｐ９は、上記アクセサリーが接続された場合、アクセサリーの種類を認識するための端子として用いられる。さらに、上記Ｐ１０は、上記端末アクセサリーインタフェース１０６に接続されているアクセサリー装置に電源を供給する電源供給端子として用いられる。
【００２６】
また、上記Ｐ６端子とＰ７端子は任意の用途に使用することができ、現在のところ、上記Ｐ６端子は、キー入力信号を上記移動端末に入力するキー信号入力端子として、そして、上記Ｐ７端子は、上記移動端末の信号をＴＶなどに出力するＴＶ−ＯＵＴ端子として用いられることもある。また、上記Ｐ６とＰ７端子は、データのやり取りのための端子、すなわち、上記Ｐ６端子は、ＵＳＢＤ＋端子（以下、Ｄ＋端子と称する。）として、上記Ｐ７端子は、ＵＳＢＤ−端子（以下、Ｄ−端子と称する。）として用いることができる。ここで、上記Ｄ＋端子は、通常、高速（略１２ｍｂｐｓ）にてデータを伝送する場合に用いられる端子であり、上記Ｄ−端子は、低速（略１．５ｍｂｐｓ）にてデータを伝送する場合に用いられる端子である。これらデータ端子は、データのやり取り時に用いられるやり取り方式、すなわち、高速伝送であるか、あるいは、低速伝送であるかによって、何れか１つの端子だけが用いられる。
【００２７】
本発明の実施の形態によるＤＭＢアクセサリー装置は、電源がオンになると、上記Ｐ６端子及びＰ７端子をそれぞれＤ＋端子、Ｄ−端子として用いることを想定している。また、上記Ｐ６端子及びＰ７端子のうち、データの伝送時に用いられていない何れか一方の端子に、プルアップ抵抗を介して特定の電圧を印加する。これにより、本発明の実施の形態によるＤＭＢアクセサリー装置は、上記移動端末のデータ端子の両方を論理「ハイ」状態に維持することができる。このため、上記移動端末１０２は、上記端末アクセサリーインタフェース１０６に接続されている装置をホストとして認識することができる。
【００２８】
また、上記図２は、上記端末アクセサリーインタフェースが１０個の端子を備えているものを例に挙げているが、必ずしもこれに限定されるものではなく、それより多くの端子を備えているものも使用可能であることはいうまでもない。すなわち、例えば、１１個以上の端子を備えている場合であっても、これら１１個の端子のうち、上記２４ピンインタフェースの例でのように、インタフェース制御部に上記アクセサリー装置をホストとして認識できるように電圧を印加するＶバスなどの端子が備えられていなければ、本発明の実施の形態による方法により上記アクセサリー装置をホストとして認識できることは言うまでもない。
【００２９】
図３Ａは、本発明の実施の形態によるＤＭＢアクセサリー装置１００のブロック構成を示している。図３Ａを参照すると、本発明の実施の形態によるＤＭＢアクセサリー装置１００は、ＤＭＢアクセサリーメモリー部３０２、ＤＭＢ信号解析部３０８、ＤＭＢデータ変換部３０６、データ変換可否確認部３１６、電源キー入力部３１４、ＤＭＢアクセサリーインタフェース１０４、制御データパーシング部３１８、ＤＭＢアクセサリーソフトウェアインストール有無チェック部３２０、及びチャンネル設定部３１２を含み、これらはＤＭＢアクセサリー制御部３００に接続されている。
【００３０】
ここで、上記ＤＭＢアクセサリーインタフェース１０４は、上記ＤＭＢアクセサリー制御部３００に接続されており、上記ＤＭＢアクセサリー制御部３００と上記移動端末１０２の制御部とのインタフェーシングを行う。また、上記ＤＭＢアクセサリー制御部３００は、上記電源キー入力部３１４から電源キーがオンになると、上記ＤＭＢアクセサリーインタフェース１０４によりＤＭＢアクセサリー装置１００のホストの設定を行う。ここで、ＤＭＢアクセサリー装置１００のホスト設定とは、上記図２に示すように、上記端末アクセサリーインタフェース１０６のＤ＋端子及びＤ−端子のうち、データの伝送のために用いられていない何れか一方の端子にプルアップ抵抗を介して特定の電圧を印加することにより、上記Ｄ＋端子とＤ−端子の両方を論理「ハイ」の状態にし、これにより、上記移動端末１０２に対して上記ＤＭＢアクセサリー装置１００をホストとして認識させる過程のことである。
【００３１】
また、上記ＤＭＢアクセサリー装置１００がホストとして設定されると、ＤＭＢアクセサリー制御部３００は、本発明の実施の形態によるＤＭＢアクセサリー装置１００の各部を制御し、接続された移動端末１０２の各部を当該移動端末１０２の制御部を用いて制御する。また、上記ＤＭＢアクセサリー装置１００は、上記移動端末１０２が上記ＤＭＢデータに含まれている上記ＤＭＢのチャンネル別の番組情報、すなわち、電子番組ガイド（ＥＰＧ）データをパーシングして画像情報として出力可能にするＤＭＢアクセサリーソフトウェアが上記移動端末１０２にインストールされているかどうかを確認する。さらに、上記ＤＭＢアクセサリー制御部３００は、上記ＤＭＢアクセサリーソフトウェアがインストールされていないと、ユーザーにその旨を知らせるか、または、上記ＤＭＢアクセサリーソフトウェアを直接的に上記移動端末１０２にインストールすることもできる。
【００３２】
また、本発明の実施の形態により、移動端末１０２で対応可能なマルチメディアデータ形式を確認する。そして、ＤＭＢ信号解析部３０８からＤＭＢデータに含まれているビデオ、オーディオデータが受信される場合、これを上記移動端末１０２で再生可能なビデオ、オーディオデータ形式に変換する。さらに、上記移動端末１０２で再生及び出力可能なデータ形式に変換されたビデオ、オーディオデータを移動端末１０２に入力する。
【００３３】
さらに、もし、上記ＤＭＢ信号解析部３０８から情報データが受信されると、該受信した情報データを印加し、データカルーセル３０４を介してユーザーが選択した情報データを移動端末１０２に入力する。また、上記移動端末１０２を制御して上記情報データを画像情報として出力可能にする。これにより、上記移動端末１０２は、上記ＤＭＢのビデオ、オーディオデータを再生したり、上記情報データを画像情報として出力することができる。
【００３４】
しかしながら、もし、上記ＤＭＢ信号解析部３０８からマルチメディアデータではない制御データが入力されると、上記ＤＭＢアクセサリー制御部３００は、上記入力された制御データを制御データパーシング部３１８に出力する。また、上記制御データパーシング部３１８を制御して、上記制御データをパーシングする。さらに、上記パーシングされた制御データ２０８を用いて上記ＤＭＢのチャンネル構成情報を生成し、これをチャンネル設定部３１２に印加する。ここで、上記チャンネル構成情報とは、上記衛星波ＤＭＢのコード分割多重化（ＣＤＭ）チャンネル情報のように、どの放送チャンネルにどのＣＤＭチャンネルが割り当てられているかに関する情報などのことである。
【００３５】
しかしながら、もし、上記ＤＭＢ信号解析部３０８から上記ＤＭＢのチャンネル別の番組情報が入力されると、上記ＤＭＢアクセサリー制御部３００は、上記入力されたチャンネル別の番組情報を移動端末１０２に出力する。また、ユーザーがＥＰＧ出力のためのキーを入力した場合、上記移動端末１０２を制御して上記チャンネル別の番組情報がパーシングされるように制御する。すると、移動端末１０２は、上記ＤＭＢアクセサリー制御部３００の制御によって、既にインストールされているＤＭＢアクセサリーソフトウェアを用いて上記チャンネル別の番組情報をパーシングする。また、パーシングされたチャンネル別の番組情報を画像情報として出力する。このため、上記移動端末１０２は、上記ＤＭＢデータのチャンネルに関する情報をユーザーに画像情報として提供することができる。
【００３６】
また、上記ＤＭＢ信号受信部３１０は、ＤＭＢデータを受信するためのアンテナ及びＲＦ部並びにベースバンド処理部を内蔵する。また、上記チャンネル設定部３１２において設定されたチャンネルによるＤＭＢデータを受信する。さらに、該受信したＤＭＢデータをＤＭＢ信号解析部３０８に出力する。
【００３７】
また、上記ＤＭＢアクセサリー制御部３００と接続されるＤＭＢ信号解析部３０８は、上記ＤＭＢ信号受信部３１０から受信したＤＭＢデータを解析してビデオデータ、オーディオデータと情報データ、並びに制御データとチャンネル別の番組情報を取り出す。また、該取り出したそれぞれのデータをＤＭＢアクセサリー制御部３００に印加する。
【００３８】
また、上記制御データパーシング部３１８は、上記ＤＭＢアクセサリー制御部３００からＳＤＴ（Service Description Table）、ＰＡＴ（Program Association Table）、ＰＭＴ（Program Map Table）などのＰＳＩ（Program Specification Information）を含む制御データが入力されると、それをパーシングする。すると、上記ＤＭＢアクセサリー制御部３００は、上記パーシングされた制御データをチャンネル構成情報としてチャンネル設定部３１２に印加する。
【００３９】
すると、上記チャンネル設定部３１２は、上記制御データパーシング部３１８から印加されたチャンネル構成情報を用いて上記ＤＭＢチャンネルの構成を確認する。また、ユーザーからチャンネルの選択のためのキー入力がある場合、ＤＭＢアクセサリー制御部３００の制御によって、上記ユーザーが入力したキーによるチャンネルを上記ＤＭＢ信号受信部３１０に対し設定する。
【００４０】
ここで、上記チャンネル設定部３１２のチャンネルの設定方法は、上記ＤＭＢアクセサリー装置が受信するＤＭＢの種類による。すなわち、例えば、上記ＤＭＢアクセサリー装置が衛星波ＤＭＢを受信する場合であれば、上記チャンネル設定部３１２が上記ＤＭＢアクセサリー制御部３００から印加されたチャンネル構成情報を用いてウォルシュコードマップを生成し、生成されたウォルシュコードマップを用いてユーザーが設定したチャンネルによるウォルシュコードを上記ＤＭＢ信号受信部３１０に設定する方法により、チャンネルを設定することもできる。さらに、上記ＤＭＢアクセサリー装置が地上波ＤＭＢを受信する場合であれば、ユーザーが選択したチャンネルのアンサンブル周波数を上記ＤＭＢ信号受信部に対し設定することもできる。 
【００４１】
また、上記ＤＭＢアクセサリー制御部３００と接続されるＤＭＢアクセサリーソフトウェアインストール有無チェック部３２０は、上記ＤＭＢアクセサリー制御部３００の制御によって、上記移動端末１０２にＤＭＢアクセサリーソフトウェアがインストールされているかどうかを確認する。ここで、上記ＤＭＢアクセサリーソフトウェアとは、上記移動端末１０２が上記ＤＭＢアクセサリー装置１００を認識し、上記移動端末１０２のキー入力信号を伝達し、ＤＭＢアクセサリー装置１００から変換されたビデオデータ及びオーディオデータを受信し、情報データ及びパーシングされたＥＰＧデータを画像情報として出力するためのソフトウェアのことである。
【００４２】
さらに、上記ＤＭＢアクセサリー制御部３００は、上記ＤＭＢアクセサリーソフトウェアのインストール有無の確認結果をユーザーに知らせる。ここで、上記ＤＭＢアクセサリー装置１００は、移動端末１０２の表示部を用いた画像情報などにより、上記確認結果をユーザーに知らせることができる。また、この場合、ユーザーは、上記移動端末１０２が無線ネットワークに接続可能な場合、上記ＤＭＢアクセサリーソフトウェアをダウンロードしたり、ＰＣなどの装備に接続してダウンロードしたりすることができる。
【００４３】
なお、もちろん、上記ＤＭＢアクセサリーソフトウェアインストール有無チェック部３２０が上記ＤＭＢアクセサリーソフトウェアのインストールデータを格納していてもよい。この場合、上記ＤＭＢアクセサリー制御部３００が、上記移動端末１０２にＤＭＢアクセサリーソフトウェアがインストールされていないと判断すると、上記ＤＭＢアクセサリーソフトウェアインストール有無チェック部３２０に格納されている上記ＤＭＢアクセサリーソフトウェアのインストールデータを用いて、上記ＤＭＢアクセサリーソフトウェアを上記移動端末１０２にインストールすることもできる。
【００４４】
また、上記ＤＭＢアクセサリー制御部３００と接続されるＤＭＢアクセサリーメモリー部３０２は、読み取り専用メモリー（ＲＯＭ）、フラッシュメモリー、ランダムアクセスメモリー（ＲＡＭ）などにより構成される。これらのうち、ＲＯＭは、ＤＭＢアクセサリー制御部３００の処理及び制御のためのプログラムと各種の参照データを記憶する。さらに、ＲＡＭは、ＤＭＢアクセサリー制御部３００のワーキングメモリーを提供し、フラッシュメモリーは、更新可能な各種の保管用のデータを記憶するための領域を提供する。また、上記ＤＭＢアクセサリー制御部３００の制御によって、上記移動端末１０２で再生可能なマルチメディアデータ形式に関する情報が受信された場合、該情報を記憶する。
【００４５】
さらに、本発明の実施の形態によるＤＭＢアクセサリーメモリー部３０２は、ＤＭＢデータが受信された場合、該データに含まれているマルチメディアデータを上記移動端末１０２で再生可能であるデータ形式に変換可能な変換情報を記憶する。ここで、上記ＤＭＢアクセサリーメモリー部３０２における上記変換情報が記憶される領域を変換情報記憶部３２２と称する。
【００４６】
さらに、上記ＤＭＢアクセサリー制御部３００と接続されるＤＭＢデータ変換部３０６は、ＤＭＢアクセサリー制御部３００の制御によって、受信したＤＭＢデータのビデオデータとオーディオデータのうちどちらか一方または両方を上記移動端末１０２で再生及び出力可能なデータ形式に変換する。このために、上記ＤＭＢデータ変換部３０６は、ビデオデータ変換部３２４、オーディオデータ変換部３２６のうち少なくとも一方と、情報データ変換部２２０を備える。
【００４７】
ここで、上記ビデオデータ変換部３２４は、上記ＤＭＢデータのビデオデータを上記移動端末１０２で再生可能なビデオデータの形式に変更するためのものである。例えば、上記ＤＭＢが衛星波ＤＭＢである場合、上記移動端末１０２は、ＭＰＥＧ−４形式のデータ形式のみを支援するとする。
【００４８】
すると、上記ＤＭＢデータのビデオデータは、衛星波ＤＭＢの規格に基づくＭＰＥＧ−４ＡＶＣ（Advanced Video Coding、Ｈ．２６４／ＭＰＥＧ−４パート１０データ形式（以下、Ｈ．２６４データ形式と称する。）を有する。すると、上記ビデオデータ変換部３２４は、上記変換情報記憶部３２２に記憶されている変換情報を用いて上記Ｈ．２６４データ形式によるビデオデータをＭＰＥＧ−４データ形式によるビデオデータに変換する。また、ＤＭＢアクセサリー制御部３００は、上記ＭＰＥＧ−４データ形式に変換されたビデオデータを上記移動端末１０２に出力する。これにより、上記移動端末１０２は、上記ＤＭＢデータのビデオデータを再生することができる。しかしながら、ここで、もし、上記移動端末１０２が上記Ｈ．２６４データ形式を再生可能であれば、上記ビデオデータ変換部３２４は、上記ビデオデータ形式の変換を行わないこともある。また、この場合、上記ビデオデータ変換部３２４が設けられなくてもよいことはもちろんである。さらに、この場合には、ＤＭＢが衛星波ＤＭＢであることを想定しているが、同じＨ．２６４データ形式を使用する地上波ＤＭＢである場合にも本発明が適用可能であることはもちろんである。
【００４９】
また、かかる役割は、上記オーディオデータ変換部３２６においてもほとんど同じである。もし、例えば、上記ＤＭＢが衛星波ＤＭＢである場合、上記移動端末１０２は、上記衛星波ＤＭＢの規格によるオーディオデータとは異なる形式のオーディオデータ形式のみを支援するとする。
【００５０】
上記ＤＭＢデータのオーディオデータは、衛星波ＤＭＢの規格によるＭＰＥＧ−２ＡＡＣ＋（Advanced Audio Codec）ＳＢＲ（Spectral Band Replication）データ形式（以下、ＡＡＣ＋データ形式と称する。）を有する。すると、この場合、上記オーディオデータ変換部３２６は、上記ＡＡＣ＋形式のオーディオデータを上記移動端末１０２で再生可能なオーディオデータに変換する。また、ＤＭＢアクセサリー制御部３００は、変換されたオーディオデータを上記移動端末１０２に出力し、上記移動端末１０２でこれを再生するように制御する。これにより、上記移動端末１０２は、上記ＤＭＢデータのオーディオデータを再生することができる。しかしながら、ここで、もし、上記移動端末１０２が上記ＡＡＣ＋データ形式を再生可能であれば、上記オーディオデータ変換部３２６は、上記オーディオデータ形式の変換を行わないこともある。また、通常の移動端末が上記ＡＡＣ＋形式のオーディオデータを再生可能な場合、上記オーディオデータ変換部３２６が設けられなくてもよいことはもちろんである。
【００５１】
さらに、ここでは、上記ＤＭＢとして衛星波ＤＭＢを使用する場合を例として挙げているため、衛星波ＤＭＢの規格によるオーディオデータ形式であるＡＡＣ＋を例にしている。なお、上記ＡＡＣ＋フォーマットは、通常の携帯電話の場合にも再生可能である。これにより、本発明の実施の形態によるＤＭＢアクセサリー装置が衛星波ＤＭＢを受信するためのものである場合、且つ、上記移動端末１０２が携帯電話である場合には、上記オーディオデータ変換部３２６が不要になることもある。
【００５２】
しかしながら、もし、上記ＤＭＢが地上波ＤＭＢであれば、上記地上波ＤＭＢの規格によるＭＰＥＧ−４ＢＳＡＣ（Bit Sliced Arithmetic Coding）データ形式（以下、ＢＳＡＣデータ形式と称する。）のオーディオデータが受信される。しかしながら、この場合、現在、通常の携帯電話では、上記ＢＳＡＣデータ形式のオーディオデータを再生することができない。したがって、このような場合、本発明の実施の形態によるオーディオデータ変換部３２６は、上記ＢＳＡＣデータ形式のオーディオデータをＡＡＣ＋データ形式のオーディオデータに変換することにより、上記携帯電話で上記地上波ＤＭＢの規格によるオーディオデータを再生可能にする。
【００５３】
さらに、ユーザーが選択したチャンネルによるＤＭＢデータに情報データが含まれている場合であれば、上記情報データは、上記ＤＭＢ信号解析部３０８からＤＭＢアクセサリー制御部３００によりデータカルーセル３０４に印加される。すると、上記データカルーセル３０４は、上記情報データを入力される。また、上記ユーザーが情報データの出力を希望するというキーを入力した場合、上記ＤＭＢアクセサリー制御部３００の制御によって、ユーザーが選択したＤＭＢチャンネルの情報データを上記移動端末１０２に出力する。すると、上記移動端末１０２は、上記ＤＭＢアクセサリーソフトウェアを用いて上記情報データを画像情報として出力する。これにより、本発明の実施の形態によるＤＭＢアクセサリー装置１００では、ＤＭＢデータのマルチメディアデータだけではなく、情報データをもユーザーに提供することが可能になる。
【００５４】
また、上記ＤＭＢアクセサリー制御部３００に接続されたデータ変換可否確認部３１６は、ＤＭＢアクセサリー制御部３００の制御によって、上記移動端末１０２に、当該移動端末１０２で再生可能なビデオデータ形式、オーディオデータ形式に関する情報を要請する。さらに、上記移動端末１０２から当該データ形式に関する情報を受信すると、上記ＤＭＢアクセサリーメモリー部３０２に記憶されている変換情報と上記移動端末１０２から受信したデータ形式情報を比較する。また、上記移動端末１０２が支援するマルチメディア形式にＤＭＢデータの変換が可能であるかどうかを判断する。さらに、上記判断結果に基づき、上記ＤＭＢデータを変換するデータの形式を決定する。
【００５５】
また、図３Ｂは、本発明の実施の形態によるＤＭＢアクセサリー装置に接続される移動端末１０２の基本的なブロック構成を示している。上記移動端末１０２は、通常のＰＤＡや携帯電話、またはノート型パソコンなどの通常のものである。しかしながら、上記本発明の実施の形態による移動端末１０２は、形式が変換されたＤＭＢデータのビデオデータを再生するための液晶ディスプレイ装置などの表示部と、チャンネル選択及び上記デジタル放送データの受信のためのキー入力を上記ＤＭＢアクセサリー装置１００に入力するキー入力部、並びに、上記ＤＭＢアクセサリー装置１００から入力されるオーディオデータを再生して可聴音信号を出力するための可聴音出力部、すなわち、スピーカーなどが必要となる。
【００５６】
上記図３Ｂは、本発明の実施の形態によるＤＭＢアクセサリー装置１００と接続される通常の移動端末１０２の例を示している。図３Ｂを参照すると、上記ＤＭＢアクセサリー装置１００と接続されて用いられる移動端末１０２は、インタフェース制御部３６２、端末メモリー部３５２、キー入力部３５４、表示部３５６、コーデック（ＣＯＤＥＣ：Coder-Decoder）３５８、及び増幅部３６０を含み、これらは端末制御部３５０に接続されている。
【００５７】
ここで、上記インタフェース制御部３６２は、上記端末制御部３５０に接続されており、上記ＤＭＢアクセサリーインタフェース１０４と整合可能な端末アクセサリーインタフェース１０６と端末インタフェース３６４を制御する。また、上記端末アクセサリーインタフェース１０６または端末インタフェース部３６４を介して整合された周辺機器と上記移動端末１０２をホストまたはスレーブに設定する過程を行い、上記周辺機器に／からデータまたはビデオ、オーディオ信号を入出力する。
【００５８】
また、上記端末アクセサリーインタフェース１０６は、通常、１０個の端子を備えており、通常のアクセサリー装置と整合されてインタフェーシングの役割を行う。また、上記端末インタフェース部３６４は、通常、２４個の端子を有する２４ピンインタフェースであり、ＰＣなどの機器と整合されて上記移動端末１０２とのインタフェーシングを行う。また、上記表示部３５６は、上記端末制御部３５０の制御によって印加されるデータを画像情報として出力する。
【００５９】
また、上記端末制御部３５０は、移動端末１０２の各部を制御する。さらに、ユーザーのキー入力をキー入力部３５４から受け取り、これを上記ＤＭＢアクセサリー装置１００に入力する。また、上記ＤＭＢアクセサリー装置１００から入力されるビデオデータ、オーディオデータを上記コーデック３５８を用いてデコードし、該デコードしたオーディオ、ビデオデータを増幅部３６０とスピーカー、並びに表示部３５６を介して、上記ＤＭＢアクセサリー制御部３００の制御によって出力する。
【００６０】
また、ユーザーが情報データの出力を希望する場合、既に記憶されているＤＭＢアクセサリーソフトウェアを用いて上記ＤＭＢアクセサリー装置１００から入力される情報データを画像情報として出力する。また、もし、ユーザーがＥＰＧデータの出力を希望する場合、上記ＤＭＢアクセサリー装置１００から上記ＤＭＢのチャンネル別のプログラム情報を入力され、これを上記記憶されているＤＭＢアクセサリーソフトウェアによりパーシングする。また、これを上記ＤＭＢアクセサリー制御部３００の制御によって、上記ＤＭＢアクセサリーソフトウェアを用いて画像情報として出力する。ここで、上記ＤＭＢアクセサリーソフトウェアは、上記ＤＭＢアクセサリー装置１００から上記ＤＭＢアクセサリーソフトウェアのインストールデータを入力されて上記移動端末１０２にインストールすることができ、また、ユーザーの選択によって、移動通信網などの無線ネットワークまたは特定のサービス提供者のサーバからダウンロードすることもできる。
【００６１】
また、上記端末制御部３５０と接続される端末メモリー部３５２は、ＲＯＭ、フラッシュメモリー、ＲＡＭなどにより構成される。これらのうちＲＯＭは、端末制御部３５０の処理及び制御のためのプログラムと各種の参照データを記憶する。また、ＲＡＭは、端末制御部３５０のワーキングメモリーを提供し、フラッシュメモリーは、更新可能な各種の保管用のデータを記憶するための領域を提供する。さらに、上記移動端末１０２の端末メモリー部３５２は、本発明の実施の形態によって上記ＤＭＢアクセサリー装置１００、無線ネットワークまたはサービス提供者から提供されるＤＭＢアクセサリーソフトウェアが記憶される領域を備える。以下、上記ＤＭＢアクセサリーソフトウェアが記憶される端末メモリー部３５２の領域をＤＭＢアクセサリーソフトウェア格納部２６８と称する。
【００６２】
また、コーデック３５８は、端末制御部３５０から印加されたビデオ信号及びオーディオ信号をデコードする。また、デコードしたビデオ信号及びオーディオ信号をさらに端末制御部３５０に入力する。さらに、キー入力部３５４は、上述のように、数字キーをはじめとする各種のキーを備え、ユーザーから入力されるキー入力を端末制御部３５０に提供する。また、端末制御部３５０と接続された増幅部３６０はスピーカーと接続され、端末制御部３５０から入力されるオーディオデータをスピーカーに出力する。さらに、増幅部３６０は、スピーカーに出力される音声信号を増幅するが、スピーカーの音量を端末制御部３５０の制御によって調節する。
【００６３】
これにより、本発明の実施の形態によるＤＭＢアクセサリー装置１００を用いる場合、通常の携帯電話、ＰＤＡ、並びにノート型パソコンなどのようにＤＭＢ機能を全く備えない移動端末でも自由にＤＭＢデータを視聴することができる。この場合、ユーザーは、上記移動端末１０２のキー入力部３５４を用いて所望のチャンネルを選択することができる。さらに、上記キー入力部３５４を用いてＥＰＧデータの出力またはＤＭＢデータの情報データの出力を選択することもできる。
【００６４】
以下、下記図４を参照し、上記ＤＭＢアクセサリー装置１００がＤＭＢデータを受信し、それをユーザーに上記移動端末１０２を介して提供する動作の流れを説明する。
【００６５】
図４は、本発明の実施の形態によるＤＭＢアクセサリー装置１００を用いて通常の移動端末１０２でＤＭＢを再生する動作の流れを示すフローチャートである。ここで、上記移動端末１０２の例として、ＡＡＣ＋のオーディオデータ形式とＭＰＥＧ−４のビデオデータ形式に対応可能な携帯電話を挙げている。また、ＤＭＢは、衛星波ＤＭＢとして、ビデオデータ形式はＨ．２６４であり、且つ、オーディオデータ形式はＡＡＣ＋であるものを使用する場合を想定する。
【００６６】
図４を参照すると、本発明の実施の形態によるＤＭＢアクセサリー制御部３００は、上記電源キー入力部３１４から動作キーが入力されると、ステップＳ４００へ進み、特定の電圧を端末アクセサリーインタフェース１０６の特定の端子、すなわち、データの伝送のために用いられていないＤ＋端子またはＤ−端子にプルアップ抵抗を介して印加するホスト設定過程を開始する。これにより、上記移動端末１０２は、上記ＤＭＢアクセサリー装置１００をホストに設定し、自分をスレーブに設定する。
【００６７】
すると、上記ＤＭＢアクセサリー装置１００は、ステップＳ４０４へ進み、上記ＤＭＢアクセサリーソフトウェアがインストールされているかどうかをチェックする。また、上記チェック結果をユーザーに知らせる。ところが、もし、上記ＤＭＢアクセサリー装置１００が上記ＤＭＢアクセサリーソフトウェアを上記移動端末１０２にインストール可能であれば、上記チェックの結果、上記ＤＭＢアクセサリーソフトウェアが上記移動端末１０２にインストールされていないと、ユーザーにその旨を知らせる代わりに、上記ＤＭＢアクセサリーソフトウェアを上記移動端末１０２にインストールすることもできる。
【００６８】
また、上記ステップＳ４０４において、上記ＤＭＢアクセサリーソフトウェアが上記移動端末１０２にインストールされると、上記ＤＭＢアクセサリー装置１００は、ステップＳ４０６へ進み、上記移動端末１０２に上記移動端末１０２が支援するマルチメディアデータ形式に関する情報を要請し、上記移動端末１０２が支援するマルチメディアデータ形式によって上記ＤＭＢデータ変換部３０６のデータ変換を設定する。ここでは、上記携帯電話がＭＰＥＧ−４及びＡＡＣ＋データ形式を支援することを想定しているため、ビデオデータはＭＰＥＧ−４データ形式に変換し、オーディオデータは変換しないように設定される。
【００６９】
ここで、上記ＤＭＢアクセサリー装置１００が上記移動端末１０２によって上記データ変換を設定する方法には、種々の方法がある。例えば、上記ＤＭＢアクセサリー装置１００が上記端末制御部３５０から上記移動端末１０２の固有情報を受信して、上記移動端末１０２の型番によって対応可能なマルチメディアデータ形式を確認したり、上記ＤＭＢアクセサリー装置１００が再生可能なマルチメディアデータのデータ形式情報を上記移動端末１０２に直接的に要請することが可能であることはいうまでもない。また、ユーザーが直接的にキー操作を行って上記ＤＭＢアクセサリー装置１００において変換されるデータの形式を直接的に指定するか、それとも、上記ＤＭＢアクセサリー装置１００が予め設定されたデータ形式によって受信したＤＭＢデータを直ちに特定のデータ形式に変換して出力することが可能であることはもちろんである。
【００７０】
また、上記ステップＳ４０６において、データの変換設定が完了すると、上記移動端末１０２はステップＳ４０８へ進み、ユーザーからキー入力があったかどうかをチェックする。また、上記ステップＳ４０８において、ユーザーからキー入力があった場合、上記移動端末１０２は、ステップＳ４１０へ進み、上記キー入力信号を互いに整合されたインタフェース１０４、１０６を介してＤＭＢアクセサリー装置１００に入力する。ここで、上記移動端末１０２のキー入力信号を、上記移動端末１０２にインストールされているＤＭＢアクセサリーソフトウェアにより上記ＤＭＢアクセサリー装置１００で認識可能な信号に変換して入力可能であることはもちろんである。
【００７１】
すると、上記ＤＭＢアクセサリー装置１００は、ステップＳ４１２へ進み、上記キー入力信号を受信し、該受信したキー信号がチャンネル選択のためのキー入力信号であるかどうかをチェックする。ここで、上記ＤＭＢアクセサリー装置１００が、上記キー入力信号がチャンネル選択のためのキー入力信号であるかどうかを調べる方法は様々である。例えば、数字キーが入力されると、上記ＤＭＢアクセサリー装置１００は、現在、ユーザーが特定のチャンネルのチャンネル番号を入力したと判断できることはもちろんである。
【００７２】
これにより、上記ステップＳ４１２の判断の結果、ユーザーがチャンネル選択のためのキーを入力したと判断すると、上記ＤＭＢアクセサリー装置１００は、ステップＳ４１４へ進み、上記入力されたキーによるチャンネルを上記ＤＭＢ信号受信部３１０に設定する。また、上記ＤＭＢアクセサリー装置１００は、ステップＳ４１６へ進み、上記ユーザーが設定したチャンネルによるＤＭＢデータのみを受信する。
【００７３】
さらに、ＤＭＢアクセサリー装置１００は、ステップＳ４１８へ進み、受信したＤＭＢデータのビデオデータ、すなわち、Ｈ．２６４形式のビデオデータを上記ステップＳ４０４において設定された変換設定によってＭＰＥＧ−４データ形式にデータ形式を変換する。また、上記変換設定によって、ビデオデータの形式が変換されると、上記ＤＭＢアクセサリー装置１００は、ステップＳ４２０へ進み、オーディオデータ及び上記変換されたビデオデータを上記移動端末１０２に伝送する。ここで、上記オーディオデータのデータ形式を変換しないことは、上記の仮定の通り、上記移動端末１０２、すなわち、携帯電話がＡＡＣ＋データ形式を再生可能であるため、ＤＭＢデータのオーディオデータがＡＡＣ＋形式である場合、ＤＭＢアクセサリー装置１００のオーディオデータ変換部３２６がこれを変換する必要がないためである。
【００７４】
すると、上記移動端末１０２は、ステップＳ４２２へ進み、上記受信したオーディオデータ及びビデオデータをデコードして表示部３５６と増幅部２５４に出力することにより、上記ＤＭＢデータを再生する。
【００７５】
このため、本発明の実施の形態においては、ＤＭＢデータを受信または再生可能な機能を備えない通常の移動端末であっても、本発明の実施の形態によるＤＭＢアクセサリー装置１００を用いることにより、ＤＭＢを受信して再生することが可能である。これにより、ユーザーは、現在持っている通常の移動端末１０２を用いて、いつでもＤＭＢを視聴することができる。
【００７６】
さらに、上記アクセサリー装置の最も代表的な例として、通常のＤＭＢ受信端末においてＤＭＢデータの受信率を高めうるＤＭＢ外付けアンテナが挙げられる。ここで、上記ＤＭＢ外付けアンテナとは、ＤＭＢデータの受信状態によってユーザーの選択により上記ＤＭＢ受信端末に取り外し可能なものをいう。
【００７７】
なお、このＤＭＢ外付けアンテナも、ＤＭＢ受信端末の端末アクセサリーインタフェースに取り付け可能である。また、上記ＤＭＢ受信端末においても上記アクセサリーインタフェースとして、通常、上記図２に示すように１０個の端子を備えているものを用いる。これにより、上記ＤＭＢ外付けアンテナは、必ずしもＤＭＢ受信端末でなく、通常の移動端末にも取り付け可能である。
【００７８】
しかしながら、上記ＤＭＢ外付けアンテナは、ＤＭＢデータを受信可能な機能を有しているだけであって、上記ＤＭＢデータを解析してマルチメディアデータとチャンネル別の放送番組情報、並びに制御データと情報データなどを取り出す機能はなく、さらに、上記受信したＤＭＢデータをデコードする機能もない。また、上記ＤＭＢ外付けアンテナは、単にアンテナの機能のみを有しているだけであり、上記移動端末を制御可能なホストの機能もまた有していない。このため、上記ＤＭＢ外付けアンテナだけでは、通常の移動端末によりＤＭＢデータを再生することができない。
【００７９】
しかしながら、上記ＤＭＢ外付けアンテナの場合、上記ＤＭＢデータを受信可能な機能、すなわち、上記本発明の実施の形態によるＤＭＢアクセサリー装置１００のＤＭＢ信号受信部３１０と同じ機能を有しており、さらに、上記端末アクセサリーインタフェース１０６を介して上記移動端末１０２と接続可能であるため、上記本発明の実施の形態によるＤＭＢアクセサリー装置１００を内蔵すると、上記外付け型ＤＭＢアンテナのみを用いて通常の移動端末でもＤＭＢを視聴可能であることは言うまでもない。このため、上記ＤＭアクセサリー装置を内蔵した外付け型ＤＭＢアンテナを本発明のさらに他の実施の形態によるＤＭＢアクセサリー装置と称する。
【００８０】
図５は、上記本発明のさらに他の実施の形態によるＤＭＢアクセサリー装置の例を示している。
【００８１】
図５を参照すると、先ず、図５Ａは、本発明のさらに他の実施の形態によるＤＭＢアクセサリー装置６００の例を示している。ここで、上記本発明のさらに他の実施の形態によるＤＭＢアクセサリー装置６００は、通常の外付け型ＤＭＢアンテナの構成の他に、上記図３Ａに示すような構成部を備える。また、上記図３Ａのアクセサリーインタフェース１０４と同じインタフェースを用いて端末アクセサリーインタフェース１０６と整合される。図５Ｂは、本発明のさらに他の実施の形態によるＤＭＢアクセサリー装置６００が端末アクセサリーインタフェース１０６を介して移動端末１０２に接続されている例を示している。
【００８２】
また、図６は、本発明のさらに他の実施の形態によるＤＭＢアクセサリー装置６００の例を示している。図６を参照すると、本発明のさらに他の実施の形態によるＤＭＢアクセサリー装置６００は、上記図３ＡのＤＭＢ信号受信部３１０に外付け型ＤＭＢアンテナ７００を備える。これにより、本発明のさらに他の実施の形態においては、上記外付け型ＤＭＢアンテナ７００を用いてＤＭＢデータを受信することができる。
【００８３】
さらに、本発明のさらに他の実施の形態によるＤＭＢアクセサリー装置６００のＤＭＢアクセサリー制御部７０２は、上記外付け型ＤＭＢアンテナ７００を介してＤＭＢ信号受信部３１０から受信したＤＭＢデータをＤＭＢ信号解析部７０４に印加する。すると、上記ＤＭＢ信号解析部７０４は、上記外付け型ＤＭＢアンテナ７００を介してＤＭＢ信号受信部３１０から受信したＤＭＢデータからマルチメディアデータと情報データ、並びに、チャンネル別の番組情報と制御データを取り出す。また、該取り出したデータをＤＭＢアクセサリー制御部７０２に印加する。
【００８４】
さらに、上記移動端末１０２から特定のチャンネルの設定のためのキー入力信号が上記ＤＭＢアクセサリーインタフェース１０４を介して入力されると、上記ＤＭＢアクセサリー制御部７０２は、チャンネル設定部７０６を制御して上記キー入力信号に対応するチャンネルを上記ＤＭＢ信号受信部３１０に対し設定する。すると、上記ＤＭＢ信号受信部３１０は、上記設定されたチャンネルによるＤＭＢデータのみを外付け型ＤＭＢアンテナ７００を介して受信し、それを上記ＤＭＢ信号解析部７０４に入力する。
【００８５】
その結果、本発明のさらに他の実施の形態によるＤＭＢアクセサリー装置６００は、外付け型ＤＭＢアンテナ７００を用いてＤＭＢデータを受信し、それを移動端末１０２において再生可能にできる。また、上記外付け型ＤＭＢアンテナ７００は、ギャップフィラーが設けられていない地域においては、通常のＤＭＢデータよりも受信率が遥かに高いため、これを備えた本発明のさらに他の実施の形態によるＤＭＢアクセサリー装置でも、上記本発明の実施の形態によるＤＭＢアクセサリー装置１００よりも高いＤＭＢデータ受信率を有する。
【００８６】
したがって、本発明の他の実施の形態によるＤＭＢアクセサリー装置の場合、外付け型ＤＭＢアンテナが取り付けられているＤＭＢ受信端末で視聴可能なＤＭＢの品質にて、通常の移動端末でＤＭＢを視聴可能にするという効果がある。加えて、ＤＭＢデータの受信状態が悪くなって、外付け型ＤＭＢアンテナを使用せずには上記ＤＭＢを視聴できない場所でもＤＭＢを視聴可能にするという効果がある。
【００８７】
なお、本発明の詳細な説明においては、具体的な実施の形態について説明したが、本発明の範囲から逸脱しない範囲内であれば、種々な変形が可能であることは言うまでもない。特に、本発明の実施の形態においては、本発明の実施の形態によるＤＭＢアクセサリー装置が移動端末からデータ変換形式に関する情報を確認し、これにより、ＤＭＢデータのビデオデータ及びオーディオデータを変換する例を挙げている。しかしながら、上記移動端末が種々の形式のビデオデータ及びオーディオデータを変換可能である場合、上記ＤＭＢアクセサリー装置が上記移動端末を介して提供する設定メニューから、ユーザーが上記種々の形式のビデオデータ及びオーディオデータ形式のうち何れかを選択可能であることはいうまでもない。
【００８８】
さらに、上記本発明の実施の形態によるＤＭＢアクセサリー装置に受信制限システム（Conditional Access System：ＣＡＳ）が内蔵可能であることはもちろんである。このＣＡＳは、ＤＭＢの高級化のために、加入者認証による特定のＤＭＢチャンネルの受信制限を行うためのものである。例えば、上記ＣＡＳは、ユーザー認証を通じて制限されたユーザーに高級化したＤＭＢサービス、すなわち、プレミアムサービスなどを提供するために用いられる。さらに、例えば、上記ＣＡＳは、地域別に特定の受信者のＤＭＢ視聴を制限するために用いられることもある。このため、本発明の実施の形態によるＤＭＢアクセサリー装置も、上記ＣＡＳを内蔵することにより、上記プレミアムサービスまたは地域的な制限受信が可能であることは言うまでもない。よって、本発明の範囲は、上述した実施の形態に限定されるものではなく、特許請求の範囲とその均等物によって定められるべきである。
【図面の簡単な説明】
【００８９】
【図１Ａ】本発明の実施の形態によるＤＭＢアクセサリー装置の例示図である。
【図１Ｂ】図１ＡのＤＭＢアクセサリー装置が移動端末と整合された例を示す図である。
【図２】本発明の実施の形態によるＤＭＢアクセサリー装置のインタフェース端子と整合される移動端末アクセサリーインタフェース端子の例示図である。
【図３Ａ】本発明の実施の形態によるＤＭＢアクセサリー装置のブロック構成図である。
【図３Ｂ】本発明の実施の形態によるＤＭＢアクセサリー装置と接続される通常の移動端末のブロック構成図である。
【図４】本発明の実施の形態によるＤＭＢアクセサリー装置を用い、通常の移動端末においてＤＭＢを再生する動作の流れを示すフローチャートである。
【図５Ａ】本発明の他の実施の形態によるＤＭＢアクセサリー装置の例を示すフローチャートである。
【図５Ｂ】図５ＡのＤＭＢアクセサリー装置が端末アクセサリーインタフェースを介して移動端末に接続されている例を示す図である。
【図６】本発明のさらに他の実施の形態によるＤＭＢアクセサリー装置のブロック構成図である。
【符号の説明】
【００９０】
１００    ＤＭＢアクセサリー装置
１０２    移動端末
１０４    ＤＭＢアクセサリーインタフェース
１０６    アクセサリーインタフェース
２０８    制御データ
２１０    ＤＭＢアクセサリーソフトウェアインストール有無チェック部
２２０    情報データ変換部
３００    ＤＭＢアクセサリー制御部
３０２    ＤＭＢアクセサリーメモリー部
３０６    ＤＭＢデータ変換部
３０８    ＤＭＢ信号解析部
３１２    チャンネル設定部
３１４    電源キー入力部
３１６    データ変換可否の確認部
３１８    制御データパーシング部
３２４    ビデオデータ変換部
３２６    オーディオデータ変換部
３５０    端末制御部
３５２    端末メモリー部
３５４    キー入力部
３５６    表示部
３５８    コーデック
３６０    増幅部
３６２    インタフェース制御部
【図１Ａ】
0004476983.tif 000003
【図１Ｂ】
0004476983.tif 000004
【図２】
0004476983.tif 000005
【図３Ａ】
0004476983.tif 000006
【図３Ｂ】
0004476983.tif 000007
【図４】
0004476983.tif 000008
【図５Ａ】
0004476983.tif 000009
【図５Ｂ】
0004476983.tif 000010
【図６】
0004476983.tif 000011